(57)【要約】【課題】基地局の検索時間を短縮することができるようにする。【解決手段】本発明の基地局検索装置は、１又は複数の基地局と接続する移動体通信ホーム制御手段と直接的に又はローミング先の移動体通信サブ制御手段を通じて間接的に、移動体通信ホーム制御手段による通信制御を受けて移動体通信を行なう通信端末が有するものであって、到来した１又は複数の基地局からの制御信号の受信に基づいて、移動体通信制御ホーム制御手段を通じて移動体通信を実現する基地局を検索する基地局検索装置において、制御信号を受信する受信手段と、少なくとも、移動体通信ホーム制御手段による通信制御システムを識別するシステム識別情報を保持するシステム識別情報保持手段と、受信した制御信号のうち各システム識別情報を有する制御信号を検索し、各システム識別情報を有する制御信号に基づく所定の基地局検索を優先的に行なう基地局検索手段とを備える。【選択図】      図１
2007258808.tif 000002
【特許請求の範囲】
【請求項１】
１又は複数の基地局と接続する移動体通信ホーム制御手段と直接的に、又は１又は複数の基地局と接続するローミング先の移動体通信サブ制御手段を通じて間接的に、上記移動体通信ホーム制御手段による通信制御を受けて移動体通信を行なう通信端末が有するものであって、到来した１又は複数の基地局からの制御信号の受信に基づいて、上記移動体通信制御ホーム制御手段を通じて移動体通信を実現する基地局を検索する基地局検索装置において、
上記１又は複数の基地局からの制御信号を受信する受信手段と、
少なくとも、上記移動体通信ホーム制御手段による通信制御システムを識別するシステム識別情報を保持するシステム識別情報保持手段と、
上記受信した制御信号のうち、上記システム識別情報を有する制御信号を検索し、上記システム識別情報を有する制御信号に基づく所定の基地局検索を優先的に行なう基地局検索手段と
を備えることを特徴とする基地局検索装置。
【請求項２】
上記システム識別情報保持手段は、上記通信端末がローミング先として利用した１又は複数の上記移動体通信サブ制御手段による通信制御システムを識別する１又は複数のシステム識別情報をも保持することを特徴とする請求項１に記載の基地局検索装置。
【請求項３】
上記システム識別情報保持手段が、さらに、上記移動体通信ホーム制御手段及び又は上記移動体通信サブ制御手段のネットワーク番号も保持することを特徴とする請求項１に記載の基地局検索装置。
【請求項４】
１又は複数の基地局と接続する移動体通信ホーム制御手段と直接的に、又は１又は複数の基地局と接続するローミング先の移動体通信サブ制御手段を通じて間接的に、上記移動体通信ホーム制御手段による通信制御を受けて移動体通信を行なう通信端末において実現される方法であって、到来した１又は複数の基地局からの制御信号の受信に基づいて、上記移動体通信制御ホーム制御手段を通じて移動体通信を実現する基地局を検索する基地局検索方法において、
少なくとも、上記移動体通信ホーム制御手段による通信制御システムを識別するシステム識別情報を保持するシステム識別情報保持手段を有し、
受信手段が、上記１又は複数の基地局からの制御信号を受信する受信工程と、
基地局検索手段が、上記受信した制御信号のうち、上記システム識別情報を有する制御信号を検索し、上記システム識別情報を有する制御信号に基づく所定の基地局検索を優先的に行なう基地局検索工程と
を備えることを特徴とする基地局検索方法。
【請求項５】
１又は複数の基地局と接続する移動体通信ホーム制御手段と直接的に、又は１又は複数の基地局と接続するローミング先の移動体通信サブ制御手段を通じて間接的に、上記移動体通信ホーム制御手段による通信制御を受けて移動体通信を行なう通信端末において、請求項１〜請求項３のいずれかに記載の基地局検索装置を備えることを特徴とする通信端末。
【発明の詳細な説明】
【技術分野】
【０００１】
本発明は、基地局検索装置、基地局検索方法及び通信端末に関し、例えば、自営移動体通信システムにおいて、移動体通信を実現する基地局を検索する通信端末が備える基地局検索装置及び方法に適用し得る。
【背景技術】
【０００２】
例えば、通信端末ＰＳがホーム局のサービス範囲内で提供を受けていたサービスを、ビジタ局のサービス範囲内においても提供を受けようとするローミングサービスがある（特許文献１参照）。
【０００３】
このローミングを実施する場合、図２に示すように、まず通信端末ＰＳは、ホーム局のＳＹＳ−ＩＤを検索し、その後サブＳＹＳ−ＩＤやネットワーク番号を検索し、ローミング可能な基地局（ＣＳ）を検索する基地局検索方法がなされている。
【０００４】
特に、ネットワーク番号方式を採用している場合、通信端末ＰＳが発見する全ての基地局（ＣＳ）との間で、１つ１つ報知情報の収集を行な、その中からネットワーク番号が一致する基地局（ＣＳ）を検索することを行なっているが、この報知情報の収集は、図３に示すように、１．２秒間隔の制御チャネル（ＢＣＣＨ）を用いて行なわれる。
【０００５】
【特許文献１】特開２００３−３４８２３２号公報
【発明の開示】
【発明が解決しようとする課題】
【０００６】
しかしながら、従来のローミングを実施する際、通信端末ＰＳは、サーチによる発見した全ての基地局について、発見した順などに応じて、ＳＹＳ−ＩＤや、サブＳＹＳ−ＩＤ若しくはネットワーク番号に基づいて、当該基地局がサービス提供に係るホーム局又はビジタ局に接続する基地局であるかの検索することとしている。
【０００７】
従って、基地局の発見順によっては、基地局の検索時間が異なってくることがあり、目的の基地局を早くサーチできた場合には検索時間は短くてすむが遅くサーチした場合には検索時間が長くなってしまうという問題がある。また、ネットワーク環境によっては、例えば近隣のビルに敷設されている基地局からの漏れ電波等を受信してしまい、他のシステムの基地局との間でも、同様の基地局検索処理を行なうこととするので、このような場合にはさらに検索時間が長くなってしまうという問題がある。
【０００８】
また、ネットワーク番号方式の場合には、基地局から送信される報知情報を利用して、報知情報に含まれるネットワーク番号に基づいて、基地局の検索を行なうこととしているが、ネットワーク番号を有する報知情報を受信するまでに時間がかかってしまう。さらに、複数台の基地局についても同様の処理を行なうとさらに検索時間が長くなってしまう。
【０００９】
この点について、図３を参照して説明すると、基地局（ＣＳ）は、１．２秒間隔の制御チャネル（ＢＣＣＨ）を用いて、報知情報を送信する。そして、通信端末ＰＳは、これらの報知情報を１つ１つ収集することとなるが、この報知情報に含まれる情報内容は、無線チャネル情報（第２チャネル情報）報知や、システム情報報知や、オプション情報報知等があり、ネットワーク番号を有する報知情報を受信するまでには、１台の基地局について３．６秒程度の時間を要してしまう。これを複数台の基地局について行なうこととすると、３．６秒×基地局台数程度の時間がかかり、検索時間が長くなってしまう。
【００１０】
そのため、基地局の検索時間を短縮することができる基地局検索装置が求められている。
【課題を解決するための手段】
【００１１】
かかる課題を解決するために、第１の本発明の基地局検索装置は、１又は複数の基地局と接続する移動体通信ホーム制御手段と直接的に、又は１又は複数の基地局と接続するローミング先の移動体通信サブ制御手段を通じて間接的に、移動体通信ホーム制御手段による通信制御を受けて移動体通信を行なう通信端末が有するものであって、到来した１又は複数の基地局からの制御信号の受信に基づいて、移動体通信制御ホーム制御手段を通じて移動体通信を実現する基地局を検索する基地局検索装置において、（１）１又は複数の基地局からの制御信号を受信する受信手段と、（２）少なくとも、移動体通信ホーム制御手段による通信制御システムを識別するシステム識別情報を保持するシステム識別情報保持手段と、（３）受信した制御信号のうち、各システム識別情報を有する制御信号を検索し、各システム識別情報を有する制御信号に基づく所定の基地局検索を優先的に行なう基地局検索手段とを備えることを特徴とする。
【００１２】
第２の本発明の基地局検索方法は、１又は複数の基地局と接続する移動体通信ホーム制御手段と直接的に、又は１又は複数の基地局と接続するローミング先の移動体通信サブ制御手段を通じて間接的に、移動体通信ホーム制御手段による通信制御を受けて移動体通信を行なう通信端末において実現される方法であって、到来した１又は複数の基地局からの制御信号の受信に基づいて、移動体通信制御ホーム制御手段を通じて移動体通信を実現する基地局を検索する基地局検索方法において、（１）少なくとも、移動体通信ホーム制御手段による通信制御システムを識別するシステム識別情報を保持するシステム識別情報保持手段を有し、（２）受信手段が、１又は複数の基地局からの制御信号を受信する受信工程と、（３）基地局検索手段が、受信した制御信号のうち、各システム識別情報を有する制御信号を検索し、各システム識別情報を有する制御信号に基づく所定の基地局検索を優先的に行なう基地局検索工程とを備えることを特徴とする。
【００１３】
第３の本発明の通信端末は、１又は複数の基地局と接続する移動体通信ホーム制御手段と直接的に、又は１又は複数の基地局と接続するローミング先の移動体通信サブ制御手段を通じて間接的に、移動体通信ホーム制御手段による通信制御を受けて移動体通信を行なう通信端末において、第１の本発明の基地局検索装置を備えることを特徴とする。
【発明の効果】
【００１４】
本発明によれば、少なくとも、移動体通信ホーム制御手段による通信制御システムを識別するシステム識別情報を保持することにより、このシステム識別情報を有する制御信号に基づいく基地局検索を優先的に行なうことで、基地局の検索時間を短縮することができる。
【発明を実施するための最良の形態】
【００１５】
（Ａ）第１の実施形態
以下、本発明の基地局検索装置、基地局検索方法及び通信端末の実施形態を図面を参照しながら説明する。
【００１６】
本実施形態では、複数の拠点で電話サービスを提供する自営移動通信システムで利用する通信端末に、本発明の基地局検索装置、基地局検索方法及び通信端末として適用した場合を説明する。
【００１７】
（Ａ−１）第１の実施形態の構成
図２は、本実施形態の通信システムの構成を説明する全体構成図である。図２に示すように、本実施形態の通信システム１は、３ヶ所の拠点１〜拠点３を備えて電話サービスを提供するシステムであり、拠点１はホーム局１１とホーム局１１に接続する基地局ＣＳ１及びＣＳ２とを有し、拠点２はビジタ局１２とビジタ局１２に接続する基地局ＣＳ３とを有し、拠点３はビジタ局１３とビジタ局１３に接続する基地局ＣＳ４を有する。また、通信システム１は、ユーザが利用する通信端末ＰＳを有する。
【００１８】
なお、拠点の数や通信端末ＰＳの数は特に限定されるものではなく、図２と異なる数であっても、以下で説明する同様の処理を実現することができる。
【００１９】
ホーム局１１、ビジタ局１２、ビジタ局１３は、それぞれの拠点１〜３に設置され、各拠点１〜３内で電話サービスを提供する移動体通信制御装置であり、例えば、電話交換装置（例えば、ＰＢＸサーバ）や呼制御装置等としての機能を有するものである。なお、ホーム局１１、ビジタ局１２、ビジタ局１３の電話交換機装置としての機能は、本実施形態では特徴でないので詳細な説明は省略するが、特に限定されるものではなく、広く適用することができる。
【００２０】
ホーム局１１は、ユーザが利用する通信端末ＰＳの端末情報（例えば、電話番号やＩＰアドレス等）を登録するものであり、当該ユーザに対して電話サービスを提供するものである。ホーム局１１は、当該ユーザに提供するサービスシステムを識別するためのシステムＩＤ（ＳＹＳ−ＩＤ）と、ホーム局１１のネットワーク番号とを有している。
【００２１】
ホーム局１１は、基地局ＣＳ１及びＣＳ２と接続している。なお、ホーム局１１が接続する基地局数は特に限定されるものではない。ホーム局１１に接続する基地局ＣＳ１及びＣＳ２は、所定距離範囲内で電波授受できるものであり、通信端末ＰＳと無線通信するものである。
【００２２】
ビジタ局１２及びビジタ局１３は、ユーザの移動先拠点に設置してある電話交換装置であり、ローミング局として機能するものである。ビジタ局１２は、サブＳＹＳ−ＩＤを有し、サブＳＹＳ−ＩＤ方式をローミング方式として採用する装置である。また、ビジタ局１３は、ネットワーク番号を用いてローミングを行なうネットワーク番号方式をローミング方式として採用する装置である。
【００２３】
基地局ＣＳ１〜ＣＳ４は、所定の電波到達範囲内に、定期的又は常時、制御信号を送信するものである。これにより、通信端末ＰＳがその制御信号を受信することにより、基地局ＣＳ１〜ＣＳ４の存在を見つけ出し、通信端末ＰＳが提供を受けることができる基地局であるか否かを検索することができる。
【００２４】
通信端末ＰＳは、電話サービスの提供を受けるユーザが所持する通信端末であり、例えば、ＰＨＳ端末や自営移動体通信システムの専用端末等が該当する。
【００２５】
通信端末ＰＳは、基地局ＣＳ１〜ＣＳ４が定期的又は常時送信する制御信号を受信すると、その受信した制御信号に含まれる基地局情報に基づいて、当該電話サービスの提供を受けることができる当該基地局ＣＳ１〜ＣＳ４であるかを検索するものである。
【００２６】
そして、通信端末ＰＳは、当該基地局が電話サービスの提供を受け得る基地局であると判断すると、当該基地局と接続する。このように、当該電話サービス提供可能な基地局を検出すると、通信端末ＰＳは、自端末ＰＳが有する表示部に圏内であることを出力する。
【００２７】
また、通信端末ＰＳは、当該基地局が電話サービスの提供を受け得る基地局でないと判断すると、次に発見した基地局についての検索処理を行なうようにする。このように、電話サービスの提供を受ける基地局を検索するまでの間、通信端末は、自端末ＰＳの表示部に圏外であることを出力する。
【００２８】
図４は、本実施形態の通信端末ＰＳの内部構成を示すブロック図である。図４に示すように、通信端末ＰＳは、ＣＰＵ２０、ベースバンド（ＢＢ）部２１、通信処理部２２、記憶部２３、液晶ディスプレイ部２４、電源部２５、送話器２６、受話器２７、入力部２８、パワーキー２９、を少なくとも有する。
【００２９】
ＣＰＵ２０は、通信端末ＰＳの機能を司るものである。記憶部２３は、例えば、ＥＥＰＲＯＭ２３１、ｆｌａｓｈ  ＲＯＭ２３２、ＳＲＡＭ２３３等のように、ＲＡＭ、ＲＯＭから構成される記憶部である。
【００３０】
ここで、記憶部２３には、通信端末ＰＳの機能を実現するための種々の処理プログラムを格納しているが、本実施形態では、特に、当該通信端末ＰＳが電話サービスの提供を受けることができる基地局を検索する基地局検索プログラム２３４ａを格納している。従って、ＣＰＵ２０は、記憶部２３に格納されている基地局検索プログラム２３４ａを実行することにより、通信端末ＰＳが電話サービスの提供を受け得る基地局を検索することができる。
【００３１】
また、記憶部２３は、ＣＰＵ２０の制御下で、ホーム局１１のＳＹＳ−ＩＤを少なくとも格納するものである。さらに、記憶部２３は、止まり木したビジタ局１２、１３のサブＳＹＳ−ＩＤ及び又はネットワーク番号を格納するものである。
【００３２】
なお、記憶部２３は、ビジタ局がビジタ局１２のように、サブＳＹＳ−ＩＤ方式を採用する場合にはサブＳＹＳ−ＩＤ管理テーブル２３５ａにサブＳＹＳ−ＩＤを格納し、ビジタ局がビジタ局１３のように、ネットワーク番号方式を採用する場合にはネットワーク番号管理テーブルにネットワーク番号２３５ｂを格納する。また、記憶部２３は、サブＳＹＳ−ＩＤ又はネットワーク番号のいずれかを格納するようにしてもよいし、又は両方を同時に格納するようにしてもよい。
【００３３】
ベースバンド（ＢＢ）部２１は、デジタルアナログ変換部（ＤＡ）２１１、アナログデジタル変換部（ＡＤ）２１２、コーデック（ＣＯＤＥＣ）２１３を有して構成されるものであり、基地局ＣＳと無線信号を送受信するものである。また、ベースバンド部２１は、周辺に位置する基地局から到来した制御信号も受信するものであり、ＣＰＵ２０がその受信した制御信号に基づいて基地局検索を実行する。
【００３４】
通信処理部２２は、音声信号の形成などを行なうものである。
【００３５】
液晶ディスプレイ部２４は、通信端末ＰＳの機能を表示したり、ユーザが入力した通話先の電話番号を表示したり、当該通信端末ＰＳが通話可能であるか否かを示す圏外又は圏内を表示したりするものである。なお、本実施形態では、表示部であれば、液晶ディスプレイに限定される広く適用することができる。
【００３６】
電源部２５は、例えば、電池やアダプタを通じて電源電圧を供給するものである。
【００３７】
送話器２６は、ユーザの音声を捕捉し、電気信号に変換して、ベースバンド（ＢＢ）部２１に与えるものである。また、受話器２７は、ベースバンド（ＢＢ）部２１から与えられた電気信号を音声に変換して出力するものである。
【００３８】
入力部２８は、ユーザが操作する操作部であり、例えば、テンキーやボタンなどから構成されるものである。またパワーキー２９は、通信端末ＰＳの電源をオンオフするためのキーである。
【００３９】
（Ａ−２）第１の実施形態の動作
次に、本実施形態の自営移動体通信システムにおけるローミングの際、通信端末ＰＳによる基地局検索処理の動作を図面を参照しながら説明する。
【００４０】
以下では、まず、図２において、通信端末ＰＳがホーム局１１のサービス範囲内で電源をオンにし、初めて基地局を検索する場合の動作を図５を参照して説明する。
【００４１】
図５において、ホーム局１１のサービス範囲内で、ユーザがパワーキー２９を操作し電源をオンにすると、電源電圧が通信端末ＰＳに供給され、通信端末ＰＳは基地局検索処理が始まる。
【００４２】
まず、電源電圧が供給されると、通信端末ＰＳは、到来した電波を受信し、基地局ＣＳ１又はＣＳ２からの制御信号の受信であるか否かを判定する（Ｓ１０１）。基地局ＣＳ１又はＣＳ２から制御信号を受信しない場合には、Ｓ１０１に戻り、制御信号の受信を待つ。
【００４３】
また、基地局ＣＳ１又はＣＳ２から制御信号を受信した場合、通信端末ＰＳは、制御信号に含まれているＣＳ−ＩＤを抽出する（Ｓ１０２）。ここで、一般に、ＣＳ−ＩＤには、ホーム局１１が提供するサービスを識別するＳＹＳ−ＩＤと基地局を識別する識別情報とが含まれている。
【００４４】
通信端末ＰＳはＣＳ−ＩＤを抽出すると、そのＣＳ−ＩＤに含まれているホーム局１１のＳＹＳ−ＩＤに基づいて、当該基地局が電話サービスの提供を受けることができる基地局ＣＳであるかの検索を行なう（Ｓ１０３）。
【００４５】
ホーム局１１に接続する基地局ＣＳの検索を行ない、当該基地局ＣＳがホーム局１１に接続する基地局ＣＳである場合（Ｓ１０４）、通信端末ＰＳは当該基地局ＣＳと接続を行なう（Ｓ１０５）。
【００４６】
なお、通信端末ＰＳで最初に行なわれる基地局検索方法は、従来の基地局検索方法と同様に、通信端末ＰＳが制御信号を受信した順で、基地局検索を行なうものとする。
【００４７】
通信端末ＰＳが当該基地局ＣＳと接続すると、通信端末ＰＳは、当該ホーム局１１のＳＹＳ−ＩＤを記憶部２３に格納し保持する（Ｓ１０６）。
【００４８】
なお、ここでは、通信端末ＰＳがホーム局１１のサービス範囲内に位置する場合を例に挙げたが、ローミング実施の際、通信端末ＰＳが別のビジタ局の通信範囲内に移動した場合にも、通信端末ＰＳは、そのビジタ局のサブＳＹＳ−ＩＤ又はネットワーク番号を保持する。
【００４９】
つまり、通信端末ＰＳは、過去又は現在に止まり木したシステムのＳＹＳ−ＩＤや、サブＳＹＳ−ＩＤ及び又はネットワーク番号を記憶部２３に格納するものとする。
【００５０】
なお、ネットワーク番号は、ホーム局１１を利用して電話サービスを受ける際に、ホーム局１１のネットワーク番号は記憶部２３に登録されている。そこで、本実施形態では、この登録されているネットワーク番号を利用するようにしてもよいし、また別途ネットワーク番号を新規に登録するようにしてもよい。
【００５１】
例えば、図６は、ユーザの拠点移動により、通信端末ＰＳが格納したサブＳＹＳ−ＩＤ管理テーブル２３５ａの構成例を示す。図６に示すサブＳＹＳ−ＩＤ管理テーブル２３５ａの例では、例えば、通信端末ＰＳが過去にサブＳＹＳ−ＩＤ方式を採用しているビジタ局のサービス範囲内に止まり木したとき、それぞれのビジタ局のサブＳＹＳ−ＩＤを１０個格納する。
【００５２】
続いて、通信端末ＰＳによる２回目以降の基地局の検索方法を図１及び図７を参照して説明する。図１は、本実施形態の通信端末ＰＳによる基地局検索方法を説明するフローチャートである。図７は、通信端末ＰＳによる基地局検索処理時間を説明する説明図である。
【００５３】
ここで、２回目以降の基地局検索が必要な場合とは、例えば、一度圏外に移動した後、通信端末ＰＳが、ホーム局１１又はビジタ局１２、１３のサービス範囲内に入った場合がある。
【００５４】
そこで、以下では、一度圏外移動後、通信端末ＰＳが、ホーム局１１又はビジタ局１２、１３のサービス範囲内に移動した場合を例に挙げて説明する。
【００５５】
図１において、まず、圏外からホーム局１１又はビジタ局１２、１３のサービス範囲内に移動してきた通信端末ＰＳは、基地局ＣＳ１〜ＣＳ４からの制御信号の受信を判定する（Ｓ２０１）。
【００５６】
通信端末ＰＳが基地局ＣＳ１〜ＣＳ４からの制御信号の受信を判定すると、通信端末ＰＳにおいて、受信した制御信号に含まれるＣＳ−ＩＤが抽出される（Ｓ２０２）。
【００５７】
次に、通信端末ＰＳは、記憶しているホーム局１１のＳＹＳ−ＩＤを記憶部２３から読み出し、その記憶しているホーム局１１のＳＹＳ−ＩＤと、ＣＳ−ＩＤに含まれているＳＹＳ−ＩＤとを比較し、両者が一致するか否かを判断することによるホーム局１１ＣＳを検索する（Ｓ２０３）。
【００５８】
このとき、両者が一致する場合、当該基地局をホーム局ＣＳと判定し、不一致の場合、当該基地局はホーム局ＣＳでないと判定する（Ｓ２０４）。
【００５９】
そして、当該基地局がホーム局ＣＳであると判定すると、通信端末ＰＳは当該基地局を止まり木として、当該基地局にアクセスする（Ｓ２０５）。すなわち、通信端末ＰＳは、止まり木チャネルを通じて、当該基地局ＣＳから基地局の固有の情報や制御チャネルやシステムに必要な情報等を受信することができる。
【００６０】
これにより、通信端末ＰＳはホーム局１１と接続する基地局ＣＳ１又はＣＳ２と接続することができ、ホーム局１１のサービス範囲内で、ホーム局１１による電話サービスの提供を受けることができる。
【００６１】
なお、図７に示すように、Ｓ２０３〜Ｓ２０５の処理で基地局検索が成功した場合の基地局検索処理時間は約４００ｍｓ程度であり、その後、検索した基地局との間で報知情報の収集時間として最大３．６秒程度かかり、さらに位置登録処理に１〜２秒程度かかるので、通信端末ＰＳの液晶ディスプレイ部２４に圏内と表示されるまでに５〜６秒程度かかる。
【００６２】
一方、当該基地局がホーム局ＣＳでないと判定すると、Ｓ２０６に進み、記憶部２３のサブＳＹＳ−ＩＤ管理テーブル２３５ａに記憶されているＳＹＳ−ＩＤを読み出し、その読み出したＳＹＳ−ＩＤと、受信した制御信号のＣＳ−ＩＤに含まれているＳＹＳ−ＩＤとを比較し、両者が一致するか否かを判断することで基地局検索を行なう（Ｓ２０６）。
【００６３】
このように、制御信号を受信した基地局の中から、記憶部２３に保持されているＳＹＳ−ＩＤについての検索処理を優先的に行なうことができるので、従来のように制御信号の受信順による場合と比べて、電話サービスの提供できる基地局の検索時間を短縮することができる。
【００６４】
このとき、サブＳＹＳ−ＩＤ管理テーブル２３５ａから１つずつＳＹＳ−ＩＤを読み出して、基地局検索を行なうものとする。また、サブＳＹＳ−ＩＤ管理テーブル２３５ａからＳＹＳ−ＩＤの読み出し順序は、特に限定されないが、例えば、直近のサブＳＹＳ−ＩＤから新しい順に読み出すようにしてもよい。これにより、ユーザが直前にいた拠点のビジタ局１２、１３の基地局について優先的に検索を行なうことができる。
【００６５】
通信端末ＰＳにおいて、まず、第１番目のＳＹＳ−ＩＤが読み出されると、そのＳＹＳ−ＩＤと、ＣＳ−ＩＤに含まれているＳＹＳ−ＩＤとの比較が行なわれる。そして、両者が一致する場合（Ｓ２０７）、通信端末ＰＳは、当該基地局を止まり木として、当該基地局に接続する（Ｓ２０８）
一方、両者のＳＹＳ−ＩＤが一致しない場合、サブＳＹＳ−ＩＤ管理テーブル２３５ａに、まだ検索していないＳＹＳ−ＩＤがあるか否かを判断し、未検索のＳＹＳ−ＩＤがサブＳＹＳ−ＩＤ管理テーブル２３５ａにある場合、その見検索のＳＹＳ−ＩＤを読み出し、Ｓ２０６に戻って処理を繰り返す（Ｓ２０９）。
【００６６】
なお、図７に示すように、Ｓ２０６〜Ｓ２０９の処理で基地局検索が成功した場合、１台の基地局検索処理時間は約４００ｍｓ程度である。
【００６７】
そのため、１回の基地局検索で成功した場合、基地局検索処理に係る時間は、ホーム局ＣＳの検索（Ｓ２０３〜Ｓ２０５）時間の４００ｍｓ程度と、Ｓ２０６〜Ｓ２０９の検索時間の４００ｍｓ程度と、その後、検索した基地局との間で報知情報の収集時間として最大３．６秒程度かかり、さらに位置登録処理に１〜２秒程度かかるので、通信端末ＰＳの液晶ディスプレイ部２４に圏内と表示されるまでに５．４〜６．４秒程度かかる。
【００６８】
また、１０回の基地局検索で成功した場合には、Ｓ２０６〜Ｓ２０９の検索時間は、４０００ｍｓ程度かかる。
【００６９】
Ｓ２０９において、サブＳＹＳ−ＩＤ管理テーブル２３５ａに保持されているＳＹＳ−ＩＤについて全て検索が行なわれ、これら保持されているＳＹＳ−ＩＤに該当するＳＹＳ−ＩＤを受信していないと判断すると、Ｓ２１０に進み、通信端末ＰＳは、従来と同様に、制御信号を受信した基地局について、その制御信号の受信順で、サブＳＹＳ−ＩＤによるビジタ局における基地局の検索を行なう（Ｓ２１０）。
【００７０】
そして、通信端末ＰＳがビジタ局ＣＳを検出すると（Ｓ２１１）、当該基地局を止まり木として、当該基地局と接続する（Ｓ２１２）。
【００７１】
一方、サブＳＹＳ−ＩＤによりビジタ局ＣＳを検索できない場合、Ｓ２１３に進み、通信端末ＰＳはネットワーク番号によるビジタ局における基地局を検索する（Ｓ２１３）。
【００７２】
ここで、通信端末ＰＳは、Ｓ２０６で、記憶部２３で格納しているビジタ局１２、１３のサブＳＹＳ−ＩＤを用いて基地局を検索し、その結果、当該サブＳＹＳ−ＩＤを有する基地局を全ての基地局を検索する。
【００７３】
通信端末ＰＳがサブＳＹＳ−ＩＤを有する基地局を全てサーチすると、通信端末ＰＳは、サーチした全ての基地局を乗せたテーブルを作成する（Ｓ２１４）。
【００７４】
通信端末ＰＳは、その作成したテーブルから１つずつサーチした基地局を読み出し、通信端末ＰＳは、その基地局からの報知情報を収集して、報知情報に含まれているネットワーク番号と格納しているネットワーク番号の一致を比較することで、ビジタ局における基地局を検索する（Ｓ２１５）。
【００７５】
そして、両者のネットワーク番号が一致する場合には、通信端末ＰＳは、当該基地局を止まり木として、当該基地局に接続する（Ｓ２１６）。
【００７６】
一方、両者のネットワーク番号が一致しない場合、Ｓ２１５に戻り、通信端末ＰＳは、テーブルを参照し、次の基地局について処理を繰り返し行なう（Ｓ２１７）。
【００７７】
（Ａ−３）第１の実施形態の効果
以上のように、第１の実施形態によれば、通信端末ＰＳが、ホスト局のＳＹＳ−ＩＤや、ローミング局として接続したビジタ局１２、１３のサブＳＹＳ−ＩＤ又はネットワーク番号を保持し、その後のローミングの際に、通信端末ＰＳがサーチした基地局のうち、保持しているＳＹＳ−ＩＤを有するものを優先的に検索することにより、従来よりも効率的に基地局検索することができるので、検索時間を短縮化することができる。
【００７８】
（Ｂ）他の実施形態
（Ｂ−１）上述した第１の実施形態では、一度圏外になってから、再度ホーム局１１のサービス範囲に入ってきた場合や、ホーム局１１からビジタ局１２、１３のサービス範囲内に移動してきた場合や、通話中に基地局ＣＳを移る際や、通信端末ＰＳを利用して発着信を行なうとき等に必要な基地局の検索処理に広く適用することができる。
【００７９】
（Ｂ−２）上述した第１の実施形態では、ホスト局１１のＳＹＳ−ＩＤや、ビジタ局１２、１３のサブＳＹＳ−ＩＤ及び又はネットワーク番号を記憶部２３に格納することとした。特に、第１の実施形態ではＲＡＭに格納することとして説明したが、図６の例に示すように、複数の情報を格納する場合には、ＥＥＰＲＯＭ等の記録媒体等に記録することが望ましい。なお、情報を格納する記録媒体の種類は特に限定されず、基地局検索の際に、書き込み、読み出し可能であれば、広く適用することができる。
【図面の簡単な説明】
【００８０】
【図１】第１の実施形態の通信端末による基地局検索処理を示すフローチャートである。
【図２】第１の実施形態の通信システムの全体構成を示す構成図である。
【図３】ネットワーク番号方式による基地局検索処理を説明するための説明図である。
【図４】第１の実施形態の通信端末の内部構成を示すブロック図である。
【図５】第１の実施形態の通信端末による基地局検索処理を示すフローチャートである。
【図６】第１の実施形態のサブＳＹＳ−ＩＤ管理テーブルの構成例を示す説明図である。
【図７】第１の実施形態の基地局検索処理の時間を説明する図である。
【符号の説明】
【００８１】
１…通信システム、ＰＳ…通信端末、１１…ホスト局、１２…ビジタ局（サブＳＹＳ−ＩＤ方式）、１３…ビジタ局（ネットワーク番号方式）、ＣＳ１〜ＣＳ４…基地局、２０…ＣＰＵ、２３…記憶部、２３１…ＥＥＰＲＯＭ、２３２…ｆｌａｓｈ  ＲＯＭ、２３３…ＳＲＡＭ、２３４…ＲＯＭ、２３５…ＲＡＭ、２３４ａ…基地局検索プログラム、２３５ａ…サブＳＹＳ−ＩＤ管理テーブル、２３５ｂ…ネットワーク番号管理テーブル。
【図１】
2007258808.tif 000003
【図２】
2007258808.tif 000004
【図３】
2007258808.tif 000005
【図４】
2007258808.tif 000006
【図５】
2007258808.tif 000007
【図６】
2007258808.tif 000008
【図７】
2007258808.tif 000009